(57)【要約】【課題】スリーブを構成するスリーブ部材間を常に良好に密封することができスリーブ内への水分の侵入を確実に防止できるケーブル接続用クロージャを提供する。【解決手段】一対のスリーブ部材２が当接した状態で固定されてなりその内部にケーブル５同士の接続部分が収容されるスリーブ３を有するケーブル接続用クロージャ１であって、スリーブ３を構成する一方のスリーブ部材２Ａの他方のスリーブ部材２Ｂとの当接部には複数の凸部６を含む第１の係合部７が設けられると共に、他方のスリーブ部材２Ｂには凸部６が密着係合される凹部８を含む第２の係合部９が設けられ、且つ第２の係合部９が第１の係合部７よりも剛性の低い柔軟材料で形成されているようにする。【選択図】図４
2008003332.tif 000002
【特許請求の範囲】
【請求項１】
一対のスリーブ部材が当接した状態で固定されてなりその内部にケーブル同士の接続部分が収容されるスリーブを有するケーブル接続用クロージャであって、前記スリーブを構成する一方のスリーブ部材の他方のスリーブ部材との当接部には複数の凸部を含む第１の係合部が設けられると共に、他方のスリーブ部材には前記凸部が密着係合される凹部を含む第２の係合部が設けられ、且つ前記第２の係合部が前記第１の係合部よりも剛性の低い柔軟材料で形成されていることを特徴とするケーブル接続用クロージャ。
【請求項２】
前記柔軟材料が樹脂材料であることを特徴とする請求項１に記載のケーブル接続用クロージャ。
【請求項３】
前記樹脂材料がポリエチレン又はポリプロピレンであることを特徴とする請求項２に記載のケーブル接続用クロージャ。
【請求項４】
前記第２の係合部が吸水ポリマーを含有する柔軟材料で形成されていることを特徴とする請求項１〜３の何れかに記載のケーブル接続用クロージャ。
【発明の詳細な説明】
【技術分野】
【０００１】
本発明は、例えば、光ケーブル、通信ケーブル等の各種ケーブルの接続に用いるケーブル接続用クロージャに関する。
【背景技術】
【０００２】
従来から、例えば、光ケーブル等の各種ケーブルの接続に用いるケーブル接続用クロージャとしては、一対の半円筒状のスリーブ部材を当接させた状態で固定したスリーブを有し、このスリーブ内に各種ケーブルの接続部分を収容するものが一般的である。また、このようなケーブル接続用クロージャは、通常は屋外に設置されるため、スリーブ内に雨水等の水分が侵入し、スリーブ内に収容されている各種ケーブルが水没して所定の機能を満足しなくなる虞がある。このため、スリーブ内への水分の侵入を防止する必要があり、スリーブには高い気密性が要求されている。しかしながら、一対のスリーブ部材を単に当接させて固定しただけのスリーブでは、十分な気密性を確保できず、スリーブ部材同士が当接する当接面からスリーブ内に水分が侵入してしまうという問題があった。
【０００３】
このような問題を解決するために、例えば、これら一対のスリーブ部材（二分割したスリーブ）の間にシール部材（ガスケット）を介装するようにしたものがある（例えば、特許文献１参照）。
【０００４】
このようなシール部材をスリーブ部材間に良好に配置することで、スリーブの気密性を向上することはできる。しかしながら、シール部材は、例えば、ゴム材料等の弾性材料からなり容易に変形するため、スリーブ部材間の所定位置に良好に配置できない場合がある。そして、シール部材が所定位置に配置されていないと、逆にこのシール部材によってスリーブ部材間に隙間が形成され、この隙間からスリーブ内に水分が侵入してしまうという問題がある。例えば、紐状のシール部材を用いる場合、シール部材は、一般的に、スリーブ部材に形成された溝部内に配置されるが、シール部材が変形して溝部からはみ出してしまうことがある。このような状態で一対のスリーブ部材を固定すると、シール部材がスリーブ部材間に挟まって隙間が形成されてしまい、この隙間からスリーブ内に水分が侵入してしまうという問題がある。
【０００５】
【特許文献１】特開平９−８０２５５号公報
【発明の開示】
【発明が解決しようとする課題】
【０００６】
本発明はこのような事情に鑑み、スリーブを構成するスリーブ部材間を常に良好に密封することができスリーブ内への水分の侵入を確実に防止できるケーブル接続用クロージャを提供することを課題とする。
【課題を解決するための手段】
【０００７】
上記課題を解決する本発明の第１の態様は、一対のスリーブ部材が当接した状態で固定されてなりその内部にケーブル同士の接続部分が収容されるスリーブを有するケーブル接続用クロージャであって、前記スリーブを構成する一方のスリーブ部材の他方のスリーブ部材との当接部には複数の凸部を含む第１の係合部が設けられると共に、他方のスリーブ部材には前記凸部が密着係合される凹部を含む第２の係合部が設けられ、且つ前記第２の係合部が前記第１の係合部よりも剛性の低い柔軟材料で形成されていることを特徴とするケーブル接続用クロージャにある。
【０００８】
本発明の第２の態様は、前記柔軟材料が樹脂材料であることを特徴とする第１の態様のケーブル接続用クロージャにある。
【０００９】
本発明の第３の態様は、前記樹脂材料がポリエチレン又はポリプロピレンであることを特徴とする第２の態様のケーブル接続用クロージャにある。
【００１０】
本発明の第４の態様は、前記第２の係合部が吸水ポリマーを含有する柔軟材料で形成されていることを特徴とする第１〜３の何れかの態様のケーブル接続用クロージャにある。
【発明の効果】
【００１１】
本発明では、スリーブを構成するスリーブ部材同士を、第１の係合部を構成する凸部と第２の係合部を構成する凹部とを密着係合させた状態で当接させるようにした。これにより、スリーブ部材間にシール部材を介装することなくスリーブ部材間を容易且つ確実に密封することができ、スリーブ部材間からスリーブ内に雨水等の水分が侵入するのを防止することができる。さらに、シール部材を必要としないため部品点数が削減され、またスリーブの製造工程も簡略化されるため、製造コストを削減することができる。
【発明を実施するための最良の形態】
【００１２】
以下、本発明を実施形態に基づいて説明する。
【００１３】
図１は、本発明の一実施形態に係るケーブル接続用クロージャの平面図であり、図２は、ケーブル接続用クロージャを構成するスリーブの分解平面図であり、図３は、図２のＡ−Ａ′断面図である。
【００１４】
本実施形態に係るケーブル接続用クロージャ１は、図１に示すように、一対のスリーブ部材２（２Ａ，２Ｂ）を当接させた状態で固定されてなる略円筒形状のスリーブ３を有する。このスリーブ３には、その両端部側のケーブル挿入口４から、光ケーブル５がそれぞれ挿入されるようになっている。例えば、本実施形態は、スリーブ３の両端部側のケーブル挿入口４から、それぞれ２本の光ケーブル５が挿入されている例である。勿論、スリーブ３に挿入される光ケーブル５の本数は、特に限定されるものではない。例えば、スリーブ３には、その両端部側から、それぞれ１本の光ケーブルが挿入されていてもよいし、３本以上の光ケーブルが挿入されていてもよい。
【００１５】
なお、図示しないが、このようにスリーブ３の両端部側のケーブル挿入口４から挿入された光ケーブル５の心線同士がこのスリーブ３内で接続されており、この心線同士の接続部分及び心線の余長部分がスリーブ３内に収容されている。
【００１６】
ここで、スリーブ３は上述したように一対のスリーブ部材２Ａ，２Ｂによって構成されており、これらスリーブ部材２Ａ，２Ｂ同士が当接する当接部には、図２及び図３に示すように、２つの凸部６を含む第１の係合部７と、これらの凸部６がそれぞれ密着係合する凹部８を含む第２の係合部９とが設けられている。本実施形態では、スリーブ部材２Ａのスリーブ部材２Ｂとの当接面に、複数の凸部６（第１の係合部７）がスリーブ部材２Ａの長さ方向に亘って連続的に設けられている。一方、スリーブ部材２Ｂには、スリーブ部材２Ａとの当接面に開口して第１のスリーブ部材２Ａに設けられた複数の凸部６がそれぞれ密着係合される複数の凹部８（第２の係合部９）が設けられている。
【００１７】
また、これらのスリーブ部材２Ａ，２Ｂは、比較的剛性の高い樹脂材料、例えば、ＡＢＳ樹脂等で形成されており、本実施形態では、第１の係合部７（凸部６）はスリーブ部材２Ａに一体的に形成されている。すなわち、第１の係合部７（凸部６）は、比較的剛性の高い樹脂材料、例えば、ＡＢＳ樹脂等で形成されている。なお、第１の係合部７（凸部６）は、スリーブ部材２Ａに強固に固定可能であればスリーブ部材２Ａと一体的に形成されている必要はないが、何れにしても、比較的剛性の高い樹脂材料で形成されているのが好ましい。また、本実施形態では、スリーブ部材２Ａに第１の係合部７を構成する２つの凸部６を設けるようにしたが、凸部６は複数個設けられていればよく、勿論３つ以上設けられていてもよい。
【００１８】
これに対し、第２の係合部９（凹部８）は、第１の係合部７（凸部６）よりも剛性の低い柔軟材料で形成されている。例えば、本実施形態では、図４の拡大図に示すように、スリーブ部材２Ｂには、スリーブ部材２Ａとの当接面に溝部１０が設けられており、この溝部１０内に柔軟材料からなり複数の凹部８が形成された第２の係合部９が設けられている。この第２の係合部９を構成する柔軟材料は、特に限定されないが、樹脂材料を用いることが好ましく、特に、ポリエチレン、ポリプロピレン等が好適に用いられる。このように第２の係合部９が柔軟材料で形成されていることにより、凸部６と凹部８とを確実に密着係合することができる。また、このような凹部８は、凸部６の幅と略同一幅で形成されていればよいが、凸部６の幅よりも若干狭い幅で形成されていることが好ましい。これにより、凸部６と凹部８とをより確実に密着係合することができる。なお、この柔軟材料からなる第２の係合部９は、スリーブ部材２Ｂに接着剤によって接合するようにしてもよいが、スリーブ部材２Ｂと共に一体成型によって形成するのが好ましい。
【００１９】
そして、このような複数の凸部６と凹部８とを密着係合させてスリーブ部材２同士を当接させてスリーブ３とすることで、スリーブ部材２間がこれら複数の凸部６と凹部８とによって確実に封止される。本発明では、凹部８を含む第２の係合部９が、凸部６を含む第１の係合部７よりも剛性の低い柔軟材料で形成されているため、各凸部６と凹部８とを比較的容易に密着係合させることができ、これら複数の凸部６と凹部８とによってスリーブ部材２の間が確実に封止される。したがって、スリーブ部材２の間にゴム材料等からなるシール部材を介装することなく、スリーブ部材２の間からスリーブ３内に雨水等の水分が侵入するのを確実に防止することができる。さらに、シール部材を必要としないため部品点数が削減され、またスリーブの製造工程も簡略化されるため、製造コストを削減することができる。
【００２０】
なお、本実施形態では、凹部８を含む第２の係合部９が、樹脂材料等の柔軟材料で形成された例を説明したが、第２の係合部９は、これに限定されず、例えば、吸水ポリマーを含有する樹脂材料等の柔軟材料で形成されていてもよい。第２の係合部９を形成する柔軟材料に吸水ポリマーが含有されていると、例えば、図５（ａ）に示すように、凹部８の幅が凸部６の幅よりも広く、スリーブ部材２間に若干の隙間が形成されていた場合でも、図５（ｂ）に示すように、この隙間（凹部８）に侵入した雨水等の水分を第２の係合部９が吸収して膨張することでこの隙間（凹部８）が塞がれる。すなわち、凸部６と凹部８とが密着係合される。したがって、第２の係合部９が吸水ポリマーを含有する材料で形成されていることで、スリーブ部材２間をより確実に密封することができる。
【００２１】
以上、本発明の一実施形態について説明したが、勿論、本発明はこれらの実施形態に限定されるものではないことは言うまでもない。例えば、上述の実施形態では、光ケーブルを接続するケーブル接続用クロージャを例示したが、勿論、本発明は、通信用ケーブル等の他のケーブルの接続に用いられるケーブル接続用クロージャにも適用することができる。
【図面の簡単な説明】
【００２２】
【図１】一実施形態に係るケーブル接続用クロージャの平面図である。
【図２】一実施形態に係るスリーブの分解平面図である。
【図３】一実施形態に係るスリーブの断面図である。
【図４】一実施形態に係るスリーブの拡大断面図である。
【図５】一実施形態に係るスリーブの変形例を示す断面図である。
【符号の説明】
【００２３】
１  ケーブル接続用クロージャ
２  スリーブ部材
３  スリーブ
４  ケーブル挿入口
５  光ケーブル
６  凸部
７  第１の係合部
８  凹部
９  第２の係合部
１０  溝部
【図１】
2008003332.tif 000003
【図２】
2008003332.tif 000004
【図３】
2008003332.tif 000005
【図４】
2008003332.tif 000006
【図５】
2008003332.tif 000007